(57)【要約】  端部を胃に留置し経管的に栄養を体内に補給するための医療用チューブの位置を確認する医療用チューブ位置確認システムであって、入射端部から入射する光を導光して出射端部から出射するように構成された導光体であって、出射端部が胃の内部に配置されるように医療用チューブ内に挿入可能に構成される導光体と、生体を透過する波長を含む光を発する光源であって、光が導光体に入射するように導光体の入射端部に光学的に接続される光源と、導光体の出射端部において導光体と光学的に接続され、導光体が出射した光を散乱する散乱部と、を備えることを特徴とする医療用チューブ位置確認システム。
2020059087.tif 000002
【特許請求の範囲】
【請求項１】
端部を胃に留置し経管的に栄養を体内に補給するための医療用チューブの位置を確認する医療用チューブ位置確認システムであって、
入射端部から入射する光を導光して出射端部から出射するように構成された導光体であって、前記出射端部が胃の内部に配置されるように医療用チューブ内に挿入可能に構成される導光体と、
生体を透過する波長を含む光を発する光源であって、前記光が前記導光体に入射するように前記導光体の前記入射端部に光学的に接続される光源と、
前記導光体の前記出射端部において前記導光体と光学的に接続され、前記導光体が出射した光を散乱する散乱部と、
を備えることを特徴とする医療用チューブ位置確認システム。
【請求項２】
前記散乱部は、所定の散乱体を含有する樹脂により構成される、請求項１に記載の医療用チューブ位置確認システム。
【請求項３】
前記所定の散乱体は波長の短い光ほど光に対する散乱の度合が大きい、請求項２に記載の医療用チューブ位置確認システム。
【請求項４】
前記散乱部は、前記導光体の光軸方向に平行な方向の寸法が、前記光軸方向に垂直な方向の寸法よりも長く設定される、請求項１から３のいずれか一項に記載の医療用チューブ位置確認システム。
【請求項５】
前記散乱部は、前記導光体が出射した光を反射する反射面を有する、請求項１に記載の医療用チューブ位置確認システム。
【請求項６】
前記反射面は、アルミ蒸着により形成されている、請求項５に記載の医療用チューブ位置確認システム。
【請求項７】
前記散乱部は、
前記導光体に対向した凸部と、
前記凸部から延伸した前記反射面と、を有する、請求項５又は６に記載の医療用チューブ位置確認システム。
【請求項８】
前記散乱部は、前記凸部を頂点とし前記反射面を側面とする略円錐形状を呈する、請求項７に記載の医療用チューブ位置確認システム。
【請求項９】
前記光源は、胃の内部から体外へ光が透過するために必要な第１強度以上であって、且つ、肺及び気管の内部から体外へ光が透過するために必要な第２強度より小さい強度の光を発するように設定されている、請求項１から８のいずれか一項に記載の医療用チューブ位置確認システム。
【請求項１０】
前記導光体の前記出射端部から出射されて生体を透過した光に少なくとも基づいて生体を撮像する撮像部を更に備える、請求項１から９のいずれか一項に記載の医療用チューブ位置確認システム。
【請求項１１】
前記撮像部が生体を撮像することにより生成された画像データを記憶する画像データ記憶部を更に備える、請求項１０に記載の医療用チューブ位置確認システム。
【発明の詳細な説明】
【技術分野】
【０００１】
本発明は、医療用チューブ位置確認システムに関する。
【背景技術】
【０００２】
従来より医療現場において、飲食物の経口摂取が困難な患者に対して、経鼻経管栄養と呼ばれる方法によって飲食物を直接胃に供給することが行われている。具体的には、患者の鼻腔から柔らかな経鼻チューブを挿入し、その先端部を胃まで到達させ、このチューブの基端部から、流動食や栄養剤を注入するといったものである。【０００３】
このような経鼻経管栄養においては、潤滑ゼリーを塗布した経鼻チューブを鼻孔に挿入し、少しずつ経鼻チューブの先端部を奥へ送りながら、患者に嚥下動作を繰り返してもらい、経鼻チューブの先端部を食道側へ導いて胃に到達させる方法で行われる。【０００４】
しかしながら、人間の喉の奥は、気管と食道の二つの流路に分岐しているため、このような経鼻チューブの挿入作業は非常に難しく、飲食物等が肺に入ってしまった場合には、誤嚥性肺炎等を起こしてしまうこともある。そのため、経鼻チューブの先端部が胃まで到達したことの確認作業が必須となっている。【０００５】
特許文献１には、対の絶縁電線とその先端に形成されたセンサ部とを有する検知線が開示されている。検知線は医療用チューブに挿入され、センサ部が胃液に接触すると対の絶縁電線の間の抵抗値が変化する。これにより、対の絶縁電線の間の抵抗値の変化を検出することで、センサ部が胃液に接触したことを判定でき、以て医療用チューブが正しく胃に到達していることを判定できる。【０００６】
また、特許文献２には、筐体と、筐体から外部に連通し且つ患者の体内に挿入される経鼻チューブの基端側と接続される接続部と、筐体内に配置されるセンサエレメントと、電子回路と、表示手段とを備える経鼻チューブ先端位置確認装置が開示されている。電子回路は、センサエレメントが受ける空圧変化を電気信号として出力し、表示手段は、電子回路からの出力を受けて空圧変化を認識可能状態に表示する。これにより、患者の腹部を外部から押圧することにより胃に空圧変化を生じさせ、センサエレメントが空圧変化を受けたことを表示手段に表示させることにより経鼻チューブが適切な位置に挿入されたか否かを判別することができる。
【先行技術文献】
【特許文献】
【０００７】
【特許文献１】特開２０１６−７７４５０号公報
【特許文献２】特許第６２４５８７０号公報
【発明の概要】
【発明が解決しようとする課題】
【０００８】
しかしながら、特許文献１のように検知線を用いる方法では、胃液が適切な場所で分泌されていることが必要であるため、適用できる患者の様態も制限があり、また、医療用チューブの位置判定の精度にもとる。また、特許文献２のように空圧変化を利用する方法では、空圧を制御するために構成が複雑となり、製造コストも高くなる。【０００９】
そこで、本発明は、医療用チューブの位置をより簡便に確認することができる医療用チューブ位置確認システムを提供することを目的とする。
【課題を解決するための手段】
【００１０】
本発明の一態様に係る医療用チューブ位置確認システムは、端部を胃に留置し経管的に栄養を体内に補給するための医療用チューブの位置を確認する医療用チューブ位置確認システムであって、入射端部から入射する光を導光して出射端部から出射するように構成された導光体であって、前記出射端部が胃の内部に配置されるように医療用チューブ内に挿入可能に構成される導光体と、生体を透過する波長を含む光を発する光源であって、前記光が前記導光体に入射するように前記導光体の前記入射端部に光学的に接続される光源と、前記導光体の前記出射端部において前記導光体と光学的に接続され、前記導光体が出射した光を散乱する散乱部と、を備えることを特徴とする。【００１１】
この態様によれば、光源から発せられた生体を透過する波長を含む光が、医療用チューブ内に挿入された導光体の内部を導光され、胃内に配置された導光体の出射端部から出射された後、散乱部によって広範に散乱される。そして、出射光が広範に散乱されるため、作業者は胃及び生体を透過した光を生体の外部から容易に確認することが可能となり、医療用チューブの位置の確認が容易となる。
【発明の効果】
【００１２】
本発明によれば、医療用チューブの位置をより簡便に確認することができる医療用チューブ位置確認システムを提供することができる。
【図面の簡単な説明】
【００１３】
【図１】本発明の実施形態に係る医療用チューブ位置確認システム１の構成の一例を模式的に示す図である。
【図２】ライト１０の機能上の構成の一例を示す模式的な図である。
【図３】ライト１０が発する光の波長について説明するための図である。
【図４】光ファイバ２０の出射端部２０Ｅ側の構成について説明するための斜視図である。
【図５】図４のＡ−Ａ′線による断面を模式的に示す図である。
【図６】カメラ３０の機能上の構成の一例を示す模式図な図である。
【図７】ユーザ端末４０の機能上の構成の一例を示す模式図な図である。
【図８】他の散乱部６０の構成を説明するための図である。
【発明を実施するための形態】
【００１４】
添付図面を参照して、本発明の好適な実施形態について説明する。（なお、各図において、同一の符号を付したものは、同一又は同様の構成を有する。）
【００１５】
［第１実施形態］
（１）全体構成
図１は、本発明の実施形態に係る医療用チューブ位置確認システム１の構成の一例を模式的に示す図である。図１に示すとおり、医療用チューブ位置確認システム１は、例えば、ライト１０と、光ファイバ２０と、カメラ３０と、ユーザ端末４０と、データベース５０とを備える。ユーザ端末４０は、通信ネットワークを介して、ライト１０、カメラ３０、及びデータベース５０それぞれと通信可能に接続されている。
【００１６】
（２）各部の構成
（２−１）ライト１０
図２は、ライト１０の機能上の構成の一例を示す模式的な図である。ライト１０は、光源の一例であって、生体を透過する波長を含む光を発する。ライト１０は、例えば、発光部１１と、駆動回路１２と、処理部１３と、記憶部１４と、通信部１５とが、金属や樹脂等で形成された略円筒状の筐体内に設けられて構成される。
【００１７】
発光部１１は、例えば、発光ＬＥＤで構成され、生体を透過する波長を含む光を発する。ライト１０に設けられたスイッチ（不図示）がＯＮすると、駆動回路１２を介して電源（不図示）から電気エネルギーの供給を受けると、当該電気エネルギーを光エネルギーに変換することにより、所定の波長の光を発する。なお、発光部１１は、発光ＬＥＤに限らず、生体を透過する波長を含む光を発するものであれば、任意の発光体であってよい。
【００１８】
ライト１０は後述する光ファイバ２０の入射端部２０Ｉに光学的に接続されており、ライト１０の発光部１１が発した光は、光ファイバ２０の入射端部２０Ｉに入射される。
【００１９】
処理部１３は、例えば、一又は複数個のプロセッサ及びその周辺回路を備えたＣＰＵ等であり、記憶部１４に記憶されているプログラム等に基づいて当該ライト１０の全体的な動作を統括的に制御する。
【００２０】
記憶部１４は、例えばＥＥＰＲＯＭ（ＥｌｅｃｔｒｏｎｉｃａｌｌｙＥｒａｓａｂｌｅ ａｎｄ Ｐｒｏｇｒａｍｍａｂｌｅ Ｒｅａｄ Ｏｎｌｙ Ｍｅｍｏｒｙ）等の不揮発性メモリ等で構成され、予め設定されたライト１０の制御情報等を記憶する。
【００２１】
通信部１５は、ライト１０を通信ネットワークに接続するための通信インターフェース回路を備え、当該通信ネットワークとの間で通信を行う。なお、ライト１０は、通信部１５等を備えない簡素な構成であってもよい。
【００２２】
ここで、図３を用いて、ライト１０が発する光の波長について説明する。図３には、生体の主要な構成要素である酸化ヘモグロビン、還元ヘモグロビン、メラニン、及び水のそれぞれの光の吸収係数が示されている。図３に示すグラフにおいて、横軸は波長（ｎｍ）を表し、縦軸は吸収係数を表す。
【００２３】
図３に示すとおり、約６５０ｎｍ以下の波長領域では血液（即ちヘモグロビン）による吸収が大きく、約９５０ｎｍよりも長い波長領域では水による吸収が大きい。一方、約６５０ｎｍ以上約９５０ｎｍ以下の波長領域内では、ヘモグロビン及び水の吸収係数が比較的低い。したがって、この波長領域内（約６５０ｎｍ以上、約９５０ｎｍ以下）の光は、他の波長領域と比較して、生体を透過しやすいといえる。
【００２４】
ライト１０の発光部１１が発する光の波長は、生体を透過する波長を含んでいれば特に限定されないが、上述のとおり、約６５０ｎｍ以上、約９５０ｎｍ以下の範囲の波長を含むことが好ましい。
【００２５】
また、図３に示すとおり、酸化ヘモグロビンの吸収率は、約６５０ｎｍ以上、約８００ｎｍ以下の波長領域において特に低い。そのため、好適には、ライト１０の発光部１１が発する光の波長は、約６５０ｎｍ以上、約８００ｎｍ以下の波長領域の少なくとも一部を含んでもよい。
【００２６】
また、図３に示すとおり、還元ヘモグロビンの吸収率は、約８００ｎｍ以上、約９５０ｎｍ以下の波長範囲において特に低い。そのため、好適には、ライト１０の発光部１１が発する光の波長は、約８００ｎｍ以上、約９５０ｎｍ以下の波長領域の少なくとも一部を含んでもよい。
【００２７】
また、図３に示すとおり、水の吸収率は、約６５０ｎｍ以上、約７００ｎｍ以下の波長範囲において特に低い。そのため、好適には、ライト１０の発光部１１が発する光の波長は、約６５０ｎｍ以上、約７００ｎｍ以下の波長領域の少なくとも一部を含んでもよい。
【００２８】
（２−２）光ファイバ２０
光ファイバ２０は、導光体の一例であって、例えば、可塑性を有する細い繊維状を呈しており、図１に示すとおり、医療用チューブＴの内部に挿入可能である。光ファイバ２０は、例えば、石英ガラスやプラスチック等によって形成された中心部のコア（不図示）と、その周囲を覆うクラッド（不図示）とから成る二層構造を有している。
【００２９】
図１に示すとおり、光ファイバ２０の一端には、ライト１０等が発した光が入射するための入射端部２０Ｉが形成されている。入射端部２０Ｉは、光ファイバ２０が医療用チューブＴの内部に挿入された状態において、ライト１０と光学的に接続することが可能な位置に配置される。光ファイバ２０のコアの屈折率は、光ファイバ２０のクラッドの屈折率よりも高く設定されている。そのため、入射端部２０Ｉから入射した光は、コア及びクラッドの境界において全反射しながら光ファイバ２０の内部を伝搬する。
【００３０】
図１に示すとおり、光ファイバ２０の他端には、光が出射するための出射端部２０Ｅが形成されている。出射端部２０Ｅは、光ファイバ２０が医療用チューブＴの内部に挿入された状態において正しく胃に到達できた場合、胃（図１において符号Ｓで示されている）の内部に配置される。
【００３１】
ここで、図４を用いて、光ファイバ２０の出射端部２０Ｅ側の構成について説明する。図４に示すとおり、光ファイバ２０の出射端部２０Ｅには、散乱部２１が光学的に接続されている。散乱部２１は、例えば、所定の散乱体を含有した略円柱状を呈する光透過性の樹脂によって構成される。光ファイバ２０のコア内を伝搬し、出射端部２０Ｅに到達した光は、出射端部２０Ｅから出射された後、散乱部２１によって様々な方向に散乱される。散乱した光は、胃及び他の生体部位を透過して生体外に出射され、その一部はカメラ３０に到達する。
【００３２】
散乱部２１が含有する所定の散乱体としては、例えば、波長の短い光ほど光に対する散乱の度合が大きい性質を有する散乱体が好適に用いられる。所定の散乱体は、例えば、蛍光顔料であってもよい。また、散乱部２１は、複数の種類の散乱体を含有していてもよい。また、散乱部２１の散乱体の含有率は、散乱部２１全体で均一であってもよい。或いは、散乱部２１の散乱体の含有率は、散乱部２１全体で不均一であってもよい。散乱部２１の散乱体の含有率は、例えば、光軸Ｌその他の方向に沿って所定の勾配を有するように分布してもよいし、或いは、光ファイバ２０側と、光ファイバ２０の反対側とで異なっていてもよい。
【００３３】
保護部２２は、例えば、軸方向に沿った貫通孔を有する略円柱状を呈する光透過性の樹脂又は合成石英ガラス等によって構成される。保護部２２は、光軸Ｌ（図５参照）に沿って、光ファイバ２０の少なくとも一部と、散乱部２１の少なくとも一部を保護している。散乱部２１によって散乱された光は、保護部２２を透過する。
【００３４】
ここで、図５を用いて、散乱部２１の寸法について説明する。図５は、図４のＡ−Ａ′線による断面を模式的に示す図である。図５において、点線矢印は、光ファイバ２０の光軸Ｌを示す。散乱部２１の光軸Ｌに平行な方向の寸法をＨ、散乱部２１の光軸Ｌに垂直な方向の寸法をＷとする。このとき、図５に示すとおり、散乱部２１の寸法は、ＨがＷよりも長くなるように設定されている。これにより、光軸Ｌとの角度差が小さい光路ほど、散乱部２１内を進行する距離が概ね長くなり、散乱部２１が含む散乱体によって光が散乱される確率が高くなる。したがって、光ファイバ２０から出射される光は、光軸Ｌの方向以外の方向に広がって進行する。
【００３５】
（２−３）カメラ３０
図６は、カメラ３０の機能上の構成の一例を示す模式的な図である。
【００３６】
カメラ３０は、撮像部の一例であって、散乱部２１により散乱されて生体を透過した光に少なくとも基づいて生体（生体の一部を含む）を撮像し、画像データを生成する。カメラ３０は、例えば、撮像素子３１、処理部３２、記憶部３３、及び通信部３４を備える。カメラ３０は、例えば、特に赤外線（ＩＲ）の検知能力が高い赤外線センサや赤外線カメラであってもよい。
【００３７】
撮像素子３１は、例えば、ＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等で構成され、処理部３２の制御によって、不図示のレンズにより集光された光を検知し、当該光を電気信号に変換する。
【００３８】
処理部３２は、例えば、一又は複数個のプロセッサ及びその周辺回路を備えたＣＰＵ等であり、記憶部３３に記憶されているプログラム等に基づいて当該情報処理装置の全体的な動作を統括的に制御する。処理部３２は、例えば、撮像素子３１が生成した電気信号に基づいて画像データを生成する。また、処理部３２は、通信部３４を介して、生成した画像データをユーザ端末４０又はデータベース５０に送信する。
【００３９】
記憶部３３は、例えば、磁気テープ装置、磁気ディスク装置、又は光ディスク装置のうちの少なくとも一つを備え、処理部での処理に用いられるコンピュータプログラム及びデータ等を記憶する。記憶部３３は、カメラ３０が生体を撮像することにより生成された画像データを記憶する画像データ記憶部の一例である。
【００４０】
通信部３４は、カメラ３０を通信ネットワークに接続するための通信インターフェース回路を備え、当該通信ネットワークとの間で通信を行う。
【００４１】
なお、カメラ３０は、処理部３２が生成した画像データ等を表示するための表示部（不図示）を備えていてもよい。
【００４２】
（２−４）ユーザ端末４０
図６は、ユーザ端末４０の機能上の構成の一例を示す模式的な図である。ユーザ端末４０は、任意の汎用的な情報処理端末であってよく、例えば、通信部４１、記憶部４２、処理部４３、操作部４４、及び表示部４５等を備える。
【００４３】
通信部４１は、ユーザ端末４０を通信ネットワークに接続するための通信インターフェース回路を備え、当該通信ネットワークとの間で通信を行う。
【００４４】
記憶部４２は、例えば、磁気テープ装置、磁気ディスク装置、又は光ディスク装置のうちの少なくとも一つを備え、処理部での処理に用いられるコンピュータプログラム及びデータ等を記憶する。記憶部４２は、カメラ３０が生体を撮像することにより生成された画像データを記憶する画像データ記憶部の一例である。
【００４５】
処理部４３は、例えば、一又は複数個のプロセッサ及びその周辺回路を備えたＣＰＵ等であり、記憶部に記憶されているプログラム等に基づいて当該情報処理装置の全体的な動作を統括的に制御する。処理部４３は、例えば、カメラ３０から通信ネットワークを介して受信した画像データを解析して、医療用チューブＴの位置が適切であるか否かを判定してもよい。また、処理部１３は、例えば、カメラ３０から通信ネットワークを介して受信した画像データを、データベース５０に送信してもよい。また、処理部１３は、例えば、ライト１０のスイッチのＯＮ及びＯＦＦを切り替える制御信号をライト１０に送信してもよい。
【００４６】
操作部４４は、例えば、タッチパネルやキーボタン等で構成され、ユーザによる文字、数字、記号等の入力の操作を受け付け、当該操作に対応する信号を処理部に供給する。
【００４７】
表示部４５は、例えば、液晶ディスプレイや有機ＥＬ（Electro−Luminescence）ディスプレイ等で構成され、処理部から供給された表示データに基づいた画像等を表示する。
【００４８】
（２−５）データベース５０
データベース５０は、例えば、病院等の医療機関が管理するデータベースであって、磁気テープ装置、磁気ディスク装置、又は光ディスク装置のうちの少なくとも一つを備える。データベース５０は、例えば、カメラ３０又はユーザ端末４０から画像データを受信し、これを記憶する。すなわち、データベース５０は、カメラ３０が生体を撮像することにより生成された画像データを記憶する画像データ記憶部の一例である。データベース５０は、例えば、医療機関等が利用する管理サーバ等の任意の外部情報処理装置と通信ネットワークを介して接続されていてもよい。当該外部情報処理装置は、データベース５０に記憶された画像データを取得し、当該画像データについて種々の目的に応じた処理を行ってもよい。
【００４９】
（３）使用方法及び動作
次に、医療用チューブ位置確認システム１の使用方法及び動作を説明する。
【００５０】
まず、作業者は、患者の鼻腔内等において医療用チューブＴの端部を確認し、光ファイバ２０を、散乱部２１が光学的に接続された出射端部２０Ｅを先にして医療用チューブＴの内部へと所定の長さだけ挿入する。
【００５１】
次に、ライト１０に設けられたスイッチ（不図示）がＯＮすることにより、ライト１０が発光する。このとき、例えば、作業者がライト１０のスイッチを操作することにより、ライト１０を発光させてもよい。或いは、作業者は、ユーザ端末４０を操作することにより、ユーザ端末４０からライト１０へ、ライト１０のスイッチをＯＮさせるための制御信号を送信することにより、ライト１０を発光させてもよい。
【００５２】
ライト１０が発光すると、ライト１０が発した光は光ファイバ２０の入射端部２０Ｉに入射する。入射端部２０Ｉに入射した光は、全反射によって光ファイバ２０の内部を伝搬し、出射端部２０Ｅに到達する。出射端部２０Ｅに到達した光は、出射端部２０Ｅから出射された後、散乱部２１によって散乱され、一部が患者の生体を透過する。
【００５３】
作業者は、患者の生体を透過した光の位置を確認し、当該光の位置が胃に対応する位置であるか否かを判断する。当該光の位置が胃に対応する位置にあれば、医療用チューブＴは適切に胃に到達していると判断することができる。当該光の位置が胃に対応する位置にない場合、或いは、当該光の有無を確認できない場合は、医療用チューブＴが胃に到達していないと判断することができる。ここで、光の位置の確認は、作業者による目視による方法、及びカメラ３０により生成した画像データを用いる方法のいずれであってもよい。カメラ３０により生成した画像データを用いる方法では、例えば、ユーザ端末４０が、胃及び他の生体部分を透過した光に少なくとも基づいてカメラ３０が生成した画像データを、カメラ３０から受信する。そして、ユーザ端末４０は、当該画像データを解析することにより、当該光の位置が胃に対応する位置であるか否かを判断する。
【００５４】
（４）その他
一般に、胃の内部から体外へ光が透過するために必要な光の強度は、肺及び気管の内部から体外へ光が透過するために必要な光の強度より小さい。そのため、ライト１０等の光源は、胃の内部から体外へ光が透過するために必要な第１強度以上であって、且つ、肺及び気管の内部から体外へ光が透過するために必要な第２強度より小さい強度の光を発するように設定されていてもよい。当該構成により、作業者による光の目視や、画像データの解析において、胃の位置がどこであるかを判断するまでもなく、光が確認できるか否かを判断するだけで、医療用チューブＴが適切に胃に到達していると判断することができる。
【００５５】
［変形例］
図８は、他の散乱部６０の構成を説明するための図である。図８は、上述した図５と同様の断面図である。図８に示すとおり、光ファイバ２０の出射端部２０Ｅには、接着性樹脂６１により散乱部６０が結合されている。散乱部６０は、頂点６０Ｔ（凸部）と、側面６０Ｒと、底面６０Ｂとから形成される略円錐形状を呈している。散乱部６０の頂点６０Ｔは、光ファイバ２０に対向している。散乱部６０の側面６０Ｒには、例えば、アルミ蒸着によって鏡面が形成されている。散乱部６０の底面６０Ｂは、光ファイバ２０の反対側に対向している。
【００５６】
図８の実線矢印で示すとおり、光ファイバ２０内を伝搬し出射端部２０Ｅから出射された光は、散乱部６０の側面６０Ｒに到達すると、側面６０Ｒによって反射される。光軸Ｌと、散乱部６０の側面６０Ｒとの成す角度θを調整することにより、反射光の方向を調整することができる。角度θの値は特に限定されないが、約４５度が好ましい。
【００５７】
上述した散乱部６０の形状は一例であって、散乱部６０は、光ファイバ２０内を伝搬し出射端部２０Ｅから出射された光を反射する反射面が形成されていれば任意の形状を呈していてもよい。散乱部６０の底面（光ファイバ２０とは反対側に設けられた面）の形状は特に限定されないが、例えば、正円の他、楕円、多角形（各辺の長さが等しくない多角形を含む）、その他任意の形状を含んでもよい。なお、これら例示した形状は、必ずしも幾何学的な定義を満たさない略形状であってもよい。また、散乱部６０の底面は、光軸Ｌに垂直な平面において、光ファイバ２０の出射端部２０Ｅの一部のみを覆うような形状であっても良い。これにより、光ファイバ２０の出射端部２０Ｅから出射された光の一部は、散乱部６０によって反射されることなく、生体に向かって進行していくこととなる。散乱部６０の底面の大きさを調整することにより、光の進行方向の分布を調整することが可能となる。
【００５８】
上述のとおり、散乱部６０の側面６０Ｒは、図８に示す断面図（光軸Ｌを通る平面による断面図）において略直線形状を呈し、光軸Ｌに対して所定の勾配（θ）を有するものとした。しかしながら、散乱部６０の側面は、当該断面図において直線形状を呈さずに、位置によって光軸Ｌに対する勾配が変化してもよい。また、散乱部６０の側面は、アルミ蒸着以外の方法により鏡面が形成されていてもよい。また、散乱部６０の側面は、光を鏡面反射する鏡面である必要はなく、例えば、光を散乱する散乱面であってもよい。
【００５９】
以上説明した実施形態（変形例を含む）によれば、光源から発せられた生体を透過する波長を含む光が、医療用チューブ内に挿入された導光体の内部を導光され、胃内に配置された導光体の出射端部から出射された後、散乱部によって広範に散乱される。そして、出射光が広範に散乱されるため、作業者は胃及び生体を透過した光を生体の外部から容易に確認することが可能となり、医療用チューブの位置の確認が容易となる。
【００６０】
以上説明した実施形態（変形例を含む）は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６１】
１…医療用チューブ位置確認システム、１０…ライト、１１…発光部、１２…駆動回路、１３…処理部、１４…記憶部、１５…通信部、２０…光ファイバ、２０Ｉ…入射端部、２０Ｅ…出射端部、２１…散乱部、２２…保護部、３０…カメラ、３１…撮像素子、３２…処理部、３３…記憶部、３４…通信部、４０…ユーザ端末、４１…通信部、４２…記憶部、４３…処理部、４４…操作部、４５…表示部、６０…散乱部、６０Ｔ…頂点（凸部）、６０Ｒ…反射面、６０Ｂ…底面
【図１】
2020059087.tif 000003
【図２】
2020059087.tif 000004
【図３】
2020059087.tif 000005
【図４】
2020059087.tif 000006
【図５】
2020059087.tif 000007
【図６】
2020059087.tif 000008
【図７】
2020059087.tif 000009
【図８】
2020059087.tif 000010
【国際調査報告】
2020059087.tif 000011
2020059087.tif 000012
2020059087.tif 000013
2020059087.tif 000014